(57)【要約】【課題】  カバーと電子機器本体との一体性を簡易な構造で安定化させる。【解決手段】  投影装置本体２と、投影装置本体２の一側面を覆うカバー３と、電子機器本体（投影装置本体２）及びカバー３を固定する第一固定具とを有する電子機器（投影装置１）である。電子機器本体は、背面が開放した筐体本体５と、筐体本体５の背面を覆う背面部６とを備える。背面部６には第二固定具が挿入される挿入穴６１ａが少なくとも一側面５２側の一方の角部に設けられる。筐体本体５の一側面５２側の他方の角部には第一固定具が係合する第一係合部５５が形成される。カバー３は、挿入穴６１ａに係合して電子機器本体に対してカバー３を開閉させるフック７と、フック７によってカバー３が閉状態となった際に、第一係合部５５とともに第一固定具と係合可能な状態となる第二係合部３４とを備える。【選択図】図３
2015225944.tif 000002
【特許請求の範囲】
【請求項１】
電子機器本体と、前記電子機器本体の一側面を覆うカバーと、前記電子機器本体及び前記カバーを固定する第一固定具とを有する電子機器であって、
前記電子機器本体は、背面が開放した筐体本体と、前記筐体本体の前記背面を覆う背面部とを備え、
前記背面部には、当該背面部を前記筐体本体に固定するための第二固定具が挿入される挿入穴が少なくとも前記一側面側の一方の角部に設けられ、
前記筐体本体における前記一側面側の他方の角部には、前記第一固定具が係合する第一係合部が形成されていて、
前記カバーは、
前記一方の角部に設けられた前記挿入穴に係合するように前記カバーの一端部に設けられ、前記電子機器本体に対して開閉するように前記カバーを回転させるフックと、
前記カバーの他端部に設けられ、前記フックによって前記カバーが閉状態となった際に、前記第一係合部とともに前記第一固定具と係合可能な状態となる第二係合部とを備え、
前記第一固定具は、前記第一係合部及び前記第二係合部に係合することで、前記カバーを前記電子機器本体に固定することを特徴とする電子機器。
【請求項２】
請求項１記載の電子機器において、
前記フックが係合する挿入穴が形成された部分の表面は、前記フックの回転軸に直交する平面に対して略４５度の角度で傾いていることを特徴とする電子機器。
【請求項３】
請求項１又は２記載の電子機器において、
前記筐体本体は、前記カバーに係合する穴又は突起からなる第三係合部を更に有し、
前記カバーは、縁部に前記第三係合部に係合する突起又は穴からなる第四係合部を更に有することを特徴とする電子機器。
【請求項４】
請求項１〜３のいずれか一項記載の電子機器において、
前記筐体本体の前記背面は、当該筐体本体の主面よりも、ユーザーによって視認され難い面であることを特徴とする電子機器。
【請求項５】
請求項１〜４のいずれか一項記載の電子機器において、
前記電子機器本体は、前記一側面に配線が接続される端子群を備え、
前記カバーは、前記一側面を覆う配線用のカバーであることを特徴とする電子機器。
【請求項６】
請求項１〜５のいずれか一項記載の電子機器において、
当該電子機器は、天吊り可能な投影装置であることを特徴とする電子機器。
【請求項７】
請求項１〜６のいずれか一項記載の電子機器のカバーの取付方法であって、
前記電子機器本体の前記挿入穴に対して前記フックを係合させてから、当該フックによって閉状態となるように前記カバーを回転させることで、前記第一係合部と前記第二係合部とが前記第一固定具と係合可能な状態となった後に、前記第一固定具を前記第一係合部及び前記第二係合部に係合させて、前記カバーを前記電子機器本体に固定することを特徴とする電子機器のカバーの取付方法。
【発明の詳細な説明】
【技術分野】
【０００１】
本発明は、電子機器及びこの電子機器のカバーの取付方法に関する。
【背景技術】
【０００２】
従来、配線用開口部に装着される配線用カバーとしては、例えば特許文献１に開示される配線用カバーの枠構造を適用して取り付けられるものが知られている。このような枠構造を、電子機器の配線部に適用して配線用カバーを電子機器に装着することも検討される。
【先行技術文献】
【特許文献】
【０００３】
【特許文献１】特開２０１０−１２５２１３号公報
【発明の概要】
【発明が解決しようとする課題】
【０００４】
ここで、配線用カバーの落下（脱落）を確実に防ぐべく、複数のカバー固定用のねじ（固定具）で配線用カバーを電子機器本体に固定することが必要である。しかしながら、カバー着脱時の作業効率を高めるべく、カバー固定用の固定具を極力少なくすることも望まれている。
本発明の課題は、カバーと電子機器本体との一体性を簡易な構造で安定化させることである。
【課題を解決するための手段】
【０００５】
請求項１記載の発明では、
電子機器本体と、前記電子機器本体の一側面を覆うカバーと、前記電子機器本体及び前記カバーを固定する第一固定具とを有する電子機器であって、
前記電子機器本体は、背面が開放した筐体本体と、前記筐体本体の前記背面を覆う背面部とを備え、
前記背面部には、当該背面部を前記筐体本体に固定するための第二固定具が挿入される挿入穴が少なくとも前記一側面側の一方の角部に設けられ、
前記筐体本体における前記一側面側の他方の角部には、前記第一固定具が係合する第一係合部が形成されていて、
前記カバーは、
前記一方の角部に設けられた前記挿入穴に係合するように前記カバーの一端部に設けられ、前記電子機器本体に対して開閉するように前記カバーを回転させるフックと、
前記カバーの他端部に設けられ、前記フックによって前記カバーが閉状態となった際に、前記第一係合部とともに前記第一固定具と係合可能な状態となる第二係合部とを備え、
前記第一固定具は、前記第一係合部及び前記第二係合部に係合することで、前記カバーを前記電子機器本体に固定することを特徴とする電子機器が提供される。
【発明の効果】
【０００６】
本発明によれば、カバーと電子機器本体との一体性を簡易な構造で安定化することができる。
【図面の簡単な説明】
【０００７】
【図１】本実施形態に係る投影装置の概略構成を主面側から示す斜視図である。
【図２】本実施形態に係る投影装置の概略構成を背面側から示す斜視図である。
【図３】本実施形態に係る投影装置本体及びカバーを模式的に示した分解図であり、（Ａ）は背面図、（Ｂ）は側面図である。
【図４】本実施形態に係る投影装置本体の概略構成を主面側から示す斜視図である。
【図５】本実施形態に係る投影装置本体の概略構成を背面側から示す斜視図である。
【図６】本実施形態に係るカバーの概略構成を示す斜視図である。
【図７】本実施形態に係るカバーの概略構成を示す正面図である。
【図８】本実施形態に係る一方の角部に設けられた挿入穴とフックとの係合直前の状態を拡大して示す斜視図である。
【図９】本実施形態に係るカバーの取付方法の一工程を示す説明図である。
【図１０】本実施形態に係る投影装置本体が天吊りされた状態を示す図である。
【発明を実施するための形態】
【０００８】
以下、添付図面を参照して、本発明に係る電子機器を投影装置に適用した場合の実施形態の一例を詳細に説明する。ただし、発明の範囲は、図示例に限定されない。
【０００９】
図１は、投影装置１の概略構成を主面側から示す斜視図である。図２は投影装置１の概略構成を背面側から示す斜視図である。なお、本実施形態に係る投影装置１は、天井に吊られて設置される天吊り（壁吊り）可能な投影装置であり、ここでは天吊りされた状態で下方を向く面を主面とし、上方を向く面を背面とする。また、机や台などに投影装置１が背面を下方にして載置された場合には主面が上方を向くことになる。つまり、載置された場合及び天吊りされた場合のいずれにおいても、投影装置１の背面は主面よりもユーザーによって視認され難い面となる（後述の図１０参照）。
【００１０】
図１及び図２に示すように投影装置１には、電子機器本体である投影装置本体２と、投影装置本体２の一側面を覆うカバー３と、投影装置本体２及びカバー３を固定する例えばねじなどの第一固定具４とが備えられている。
【００１１】
図３は投影装置本体２及びカバー３を模式的に示した分解図であり、（Ａ）は背面図、（Ｂ）は側面図である。図４は投影装置本体２の概略構成を主面側から示す斜視図である。図５は投影装置本体２の概略構成を背面側から示す斜視図である。
図３〜図５に示すように投影装置本体２には、配線が接続される端子群５１を一側面５２で露出させるとともに背面が開放した筐体本体５と、筐体本体５の背面を覆う背面部６とが備えられている。
【００１２】
筐体本体５には、映像を投影するための図示しない投影部が内蔵されている。この投影部から照射された映像光は投影口５８を通して投影される。この映像光を妨げないように筐体本体５の主面略中央には凹部５３が全幅に亘って形成されている。筐体本体５の一側面５２の主面側縁部には、内側に窪んだ一対の嵌合穴５４が形成されている。
【００１３】
背面部６の周縁部及び中央部には複数の挿入穴６１が設けられている。この挿入穴６１には、背面部６を筐体本体５に固定するための例えばねじなどの第二固定具６２が挿入される。複数の挿入穴６１のうち、一つの挿入穴６１ａは一側面５２側の一方の角部に設けられている。
また、背面部６の中央部には天吊り治具１０１（後述の図１０参照）を接続するための治具固定用のねじ穴６４が設けられている。
また、筐体本体５における一側面５２側の他方の角部には、第一固定具４が係合する第一係合部５５が形成されている。具体的には第一係合部５５は、一側面５２とともに他方の角部をなす側面５６に対して凹むように形成されていて、その底面に第一固定具４が係合する雌ねじ部５７が形成されている。
【００１４】
図６はカバー３の概略構成を示す斜視図である。図７はカバー３の概略構成を示す正面図である。
図３,図６，図７に示すようにカバー３の背面には、端子群５１に接続された配線を外部に引き出すための開口部３１が設けられている。カバー３を筐体本体５に装着した際においては、開口部３１以外の部分が筐体本体５と連続するようになる。
また、カバー３の主面には、投影部から照射された映像光を筐体本体５の凹部５３とともに妨げないように、当該凹部５３に連続する凹部３２が形成されている。凹部５３及び凹部３２の形状は、映像光を妨げないのであれば如何様でも構わない。
【００１５】
カバー３の背面側における一端部には、背面部６の一方の角部に設けられた挿入穴６１ａに係合して、投影装置本体２に対しカバー３を開閉するように回転させるフック７が設けられている。
【００１６】
図８は、一方の角部に設けられた挿入穴６１ａとフック７との係合直前の状態を拡大して示す斜視図である。
図８に示すように、フック７には、外側に向けて突出した台座７１と、台座７１から主面側に向けて突出した突起７２とが設けられている。この突起７２が挿入穴６１ａ内に進入して当該挿入穴６１ａに係合することになる。突起７２は、挿入穴６１ａの内周面に沿って回転するため、この突起７２がカバー３の回転軸となる。
ここで、カバー３が投影装置本体２に装着された状態の突起７２がなす回転軸（図８中、一点鎖線で示す。）に直交する平面Ｄに対し、各挿入穴６１が設けられた表面Ｅは外側に行くにつれて主面に近づくように傾いている。この傾斜角度αは、前記平面Ｄに対して略４５度となっている。
他方、挿入穴６１の近傍には、カバー３が投影装置本体２に装着される際に台座７１が嵌合する凹部６３が形成されている。
【００１７】
カバー３の主面側の縁部には、筐体本体５の一対の嵌合穴５４（第三係合部）にそれぞれ嵌合する一対の嵌合突起３３（第四係合部）が設けられている。
カバー３の他端部には、フック７によってカバー３が閉状態となった際に、第一係合部５５とともに第一固定具４と係合可能な状態となる第二係合部３４が形成されている。具体的には、第二係合部３４は、第一係合部５５に収まるような形状で突出している。そして、第二係合部３４には、第一係合部５５の雌ねじ部５７に連通する貫通孔３５が設けられている。第二係合部３４が第一係合部５５内に収まると、雌ねじ部５７と貫通孔３５とが連通することになる。この状態が、第一固定具４が係合可能な状態である。そして、第一固定具４を貫通孔３５から雌ねじ部５７に螺合させると、第一固定具４が第一係合部５５及び第二係合部３４に係合するため、カバー３が投影装置本体２に固定されることになる。
【００１８】
次に、カバー３の取付方法について具体的に説明する。図９は、取付方法の一工程を示す説明図である。
まず、図８に示すように、作業者は、フック７の突起７２が挿入穴６１ａに係合するようにカバー３を投影装置本体２に対して位置合わせをする。
そして、突起７２が挿入穴６１ａに係合した後、図９に示すように作業者は、カバー３が閉状態となるようにフック７によってカバー３を回転させる。
閉状態になると、フック７の台座７１が背面部６の凹部６３に嵌合するとともに、嵌合突起３３が筐体本体５の嵌合穴５４に嵌合する。また、閉状態になると第二係合部３４が第一係合部５５内に収まって、第一係合部５５と第二係合部３４とが第一固定具４と係合可能な状態となる。
その後、作業者は、第一固定具４を貫通孔３５から雌ねじ部５７に螺合させ、カバー３を投影装置本体２に固定する。これにより図１及び図２に示す状態となる。
【００１９】
以上のように、本実施形態によれば、カバー３のフック７が投影装置本体２の挿入穴６１ａに係合しているため、フック７と挿入穴６１ａとの係合によってカバー３と投影装置本体２との一体性を維持することができる。また、その反対側では、カバー３の第二係合部３４と投影装置本体２の第一係合部５５とに第一固定具４が係合してカバー３が投影装置本体２に固定される。
したがって、カバー固定用の第一固定具４が一つであってもカバー３と投影装置本体２との一体性を安定化することができる。
また、挿入穴６１ａには、背面部６を筐体本体５に固定するための第二固定具６２が挿入されるとともに、フック７の突起７２も挿入される。つまり、挿入穴６１ａは、背面部６を筐体本体５に固定するための機能と、カバー３が係合される機能とを兼ね備えている。これにより、個別に設けた場合と比しても構造を簡素化することが可能となる。
また、カバー固定用の第一固定具４が一つであるので、カバー３の着脱作業も容易となる。
【００２０】
また、カバー３の安定性を優先するならば、第二係合部３４に対向する側面でカバー３の一部を投影装置本体２に係合させることが望ましい。他方、カバー３の回転性を優先するならば、フック７が係合する挿入穴６１ａが形成された部分の表面を、フック７の回転軸に直交する平面に平行にすることが望ましい。このようにカバー３の安定性及び回転性は互いに相反する性質である。
しかしながら、本実施形態では、背面部６における、フック７が係合する挿入穴６１ａが形成された部分の表面と、フック７の回転軸に直交する平面との角度が略４５度であるので、カバー３の安定性及び回転性をバランスよく満たすことができる。
【００２１】
また、筐体本体５の背面が、当該筐体本体５の主面よりも、ユーザーによって視認され難い面であるので、この背面を覆う背面部６及び背面部６に係合するフック７も視認されにくくなり、外観上好ましい。
【００２２】
そして、カバー３の取付作業が困難になることが想定される天吊り可能な投影装置１の取付作業を効率化することが可能となる。
【００２３】
投影装置１の天吊り（壁吊り）時の状態を図１０に示す。投影装置１は、側面から見てＬ字状の天吊り治具１０１に、治具固定用の穴６４、治具固定用のねじ１０２により取り付けられる。
このように天吊り時には、フック７が筐体本体５に対し上側から係合するので、カバー３がより落下しにくい構造となっている。
【００２４】
なお、本発明を適用可能な実施形態は、上述した実施形態に限定されることなく、本発明の趣旨を逸脱しない範囲で適宜変更可能である。
【００２５】
例えば、上記実施形態では、第一係合部５５が凹状に形成されて、第二係合部３４が凸状に形成されている場合を例示して説明したが、これとは反対に第一係合部が凸状、第二係合部が凹状に形成されていてもよい。
また、筐体本体５の一対の嵌合穴５４と、当該嵌合穴５４にそれぞれ嵌合する一対の嵌合突起３３とからなる係合部の凹凸の関係は、それぞれ逆となる凸凹である構成であってもよく、また、その数は２でなく１又は３以上であってもよい。
また、第一固定具４及び第二固定具６２は上述したねじ以外の固定具であっても構わない。
【００２６】
また、上記実施形態では、カバー３が配線用である場合を例示して説明したが、本発明はその他の用途のカバーにも適用可能であることはいうまでもない。
【００２７】
以上、本発明のいくつかの実施形態を説明したが、本発明の範囲は、上述の実施の形態に限定するものではなく、特許請求の範囲に記載された発明の範囲をその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００２８】
〔付記〕
＜請求項１＞
電子機器本体と、前記電子機器本体の一側面を覆うカバーと、前記電子機器本体及び前記カバーを固定する第一固定具とを有する電子機器であって、
前記電子機器本体は、背面が開放した筐体本体と、前記筐体本体の前記背面を覆う背面部とを備え、
前記背面部には、当該背面部を前記筐体本体に固定するための第二固定具が挿入される挿入穴が少なくとも前記一側面側の一方の角部に設けられ、
前記筐体本体における前記一側面側の他方の角部には、前記第一固定具が係合する第一係合部が形成されていて、
前記カバーは、
前記一方の角部に設けられた前記挿入穴に係合するように前記カバーの一端部に設けられ、前記電子機器本体に対して開閉するように前記カバーを回転させるフックと、
前記カバーの他端部に設けられ、前記フックによって前記カバーが閉状態となった際に、前記第一係合部とともに前記第一固定具と係合可能な状態となる第二係合部とを備え、
前記第一固定具は、前記第一係合部及び前記第二係合部に係合することで、前記カバーを前記電子機器本体に固定することを特徴とする電子機器。
＜請求項２＞
請求項１記載の電子機器において、
前記フックが係合する挿入穴が形成された部分の表面は、前記フックの回転軸に直交する平面に対して略４５度の角度で傾いていることを特徴とする電子機器。
＜請求項３＞
請求項１又は２記載の電子機器において、
前記筐体本体は、前記カバーに係合する穴又は突起からなる第三係合部を更に有し、
前記カバーは、縁部に前記第三係合部に係合する突起又は穴からなる第四係合部を更に有することを特徴とする電子機器。
＜請求項４＞
請求項１〜３のいずれか一項記載の電子機器において、
前記筐体本体の前記背面は、当該筐体本体の主面よりも、ユーザーによって視認され難い面であることを特徴とする電子機器。
＜請求項５＞
請求項１〜４のいずれか一項記載の電子機器において、
前記電子機器本体は、前記一側面に配線が接続される端子群を備え、
前記カバーは、前記一側面を覆う配線用のカバーであることを特徴とする電子機器。
＜請求項６＞
請求項１〜５のいずれか一項記載の電子機器において、
当該電子機器は、天吊り可能な投影装置であることを特徴とする電子機器。
＜請求項７＞
請求項１〜６のいずれか一項記載の電子機器のカバーの取付方法であって、
前記電子機器本体の前記挿入穴に対して前記フックを係合させてから、当該フックによって閉状態となるように前記カバーを回転させることで、前記第一係合部と前記第二係合部とが前記第一固定具と係合可能な状態となった後に、前記第一固定具を前記第一係合部及び前記第二係合部に係合させて、前記カバーを前記電子機器本体に固定することを特徴とする電子機器のカバーの取付方法。
【符号の説明】
【００２９】
１      投影装置（電子機器）
２      投影装置本体（電子機器本体）
３      カバー
４      第一固定具
５      筐体本体
６      背面部
７      フック
３１      開口部
３２      凹部
３３      嵌合突起
３４      第二係合部
３５      貫通孔
５１      端子群
５２      一側面
５３      凹部
５４      嵌合穴
５５      第一係合部
５６      側面
５７      雌ねじ部
５８      投影口
６１      挿入穴
６１ａ    挿入穴
６２      第二固定具
６３      凹部
６４      治具固定用のねじ穴
７１      台座
７２      突起（回転軸）
１０１      天吊り治具
１０２      治具固定用のねじ
【図１】
2015225944.tif 000003
【図２】
2015225944.tif 000004
【図３】
2015225944.tif 000005
【図４】
2015225944.tif 000006
【図５】
2015225944.tif 000007
【図６】
2015225944.tif 000008
【図７】
2015225944.tif 000009
【図８】
2015225944.tif 000010
【図９】
2015225944.tif 000011
【図１０】
2015225944.tif 000012